(57)【特許請求の範囲】
【請求項１】
フード本体１と、このフード本体１内に設けられた排気用ファンユニット９と、この排気用ファンユニット９の排出側に接続した排気ダクト１７と、前記フード本体１の上面に取付けられ前面板２４に給気口２６を有する給気ボックス２０と、この給気ボックス２０に接続した給気ダクト５６を備え、
前記給気ボックス２０の天板２１、左右の側面板２２、後面板２３には空気取入口２５が、通常時には閉塞され、かつ使用時に開口できるようにそれぞれ形成してあり、そのいずれか１つの空気取入口２５が開口し、
前記給気ボックス２０の内面における開口した空気取入口２５周縁部に、前記給気ダクト５６が接続される接続用ダクト４２を備えた取付部材４０を、その接続用ダクト４２が空気取入口２５よりも外方に突出して着脱自在に取付け、
筒体６１内にシャッタ６２を電動モータ６４で開・閉位置に移動自在に取付けて電動式シャッタ６０とし、
この電動式シャッタ６０を前記取付部材４０に、その筒体６１と接続用ダクト４２が連続して着脱自在に取付けたことを特徴とする給排気式レンジフード。
【請求項２】
前記取付部材４０に第１受け片４４と第２受け片４５を９０度位置をずらしてそれぞれ設け、
前記電動式シャッタ６０の筒体６１に前記第１・第２受け片４４，４５に接して取付部材４０の接続用ダクト４２と電動式シャッタ６０の筒体６１を位置合せする部分を設けたことを特徴とする請求項１記載の給排気式レンジフード。
【請求項３】
前記取付部材４０を、矩形状の基板４１に接続用ダクト４２を設け、この基板４１における対角線方向に対向した一方のコーナー部付近に第１受け片４４と第２受け片４５を９０度位置をずらして設け、他方のコーナー部付近にナット部材４７を設けたものとし、
前記電動式シャッタ６０の筒体６１に矩形状の取付板６６を設け、この取付板６６における第１の対角線方向に相対向した２つのコーナー部近くに透孔６７をそれぞれ形成したものとし、
前記取付板６６の第２の対角線方向に相対向した一方のコーナー部における２辺部を前記第１・第２受け片４４，４５に接して取付部材４０の接続用ダクト４２と電動式シャッタ６０の筒体６１を位置合せし、前記取付板６６の１つの透孔６７よりボルト部材をナット部材４７に螺合して電動式シャッタ６０を取付部材４０に取付けた請求項１記載の給排気式レンジフード。
【発明の詳細な説明】
【０００１】
【発明の属する技術分野】
本発明は、厨房内においてガスレンジ等の上方に配置され、調理時に発生する煙り、湯気、臭気等を捕集して室内の空気とともに室外に排出すると共に、室外の空気を室内に給気する給排気式レンジフードに関する。
【０００２】
【従来の技術】
厨房内に配置されるレンジフードは、フード本体と排気用ファンユニットとを備えたものであり、調理時に発生する煙り、湯気、臭気等を捕集して室外に排出する。
【０００３】
前述のように、レンジフードにより調理時に発生する煙り、湯気、臭気等を室外に排気する際に室内の空気も室外に排気されるので、室内が高気密化された住宅においては室内が負圧となると共に、酸欠が生じたりすることがある。
【０００４】
このことを防止するために、調理時に発生する煙り、湯気、臭気等を室外に排出すると同時に室外の空気を室内に取り入れる給気手段を備えた給排気式レンジフードが種々提案されている。
【０００５】
例えば、実公平１−１２３０５７号公報に示すように、フード本体の上面に、給気孔と空気取入口を備えた給気ボックスを取付け、その空気取入口に給気ダクトを接続し、前述のように調理時に発生する煙り、湯気、臭気等を室外に排出して室内が負圧となると室外の空気を室内に給気できるようにした第１の給排気式レンジフードが提案されている。
【０００６】
前述の第１の給排気式レンジフードにおいては、給気ダクト、空気取入口、給気ボックス、給気孔を経て室外と室内が常時連通しているので、冬期においてレンジフード停止時に室外の冷気が室内に流れ込んで室内が低温となり、暖房負荷を増加させることがある。
【０００７】
このことを防止する給排気式レンジフードとしては、例えば特開平１−１１４６４８号公報に示すように、給気ボックスに給気孔を開閉するシャッタを設け、このシャッタを電動モータで開き位置と閉じ位置に作動するようにした第２の給排気式レンジフードが提案されている。
【０００８】
この第２の給排気式レンジフードであれば電動モータでシャッタを閉じ位置とすることで室外と室内が遮断されるから、冬期においてレンジフード停止時に室外の冷気が室内に流れ込むことを防止できる。
【０００９】
【発明が解決しようとする課題】
前述の第２の給排気式レンジフードのシャッタは給気ボックスの給気孔を開・閉するものであるから、シャッタを閉じ位置としても室外の空気が給気ボックス内まで流れ込むので、冬期においては室外の冷気の影響で室内の温度が低下する。
【００１０】
このことを解消するには、給気ダクトにシャッタを取付けたり、給気ボックスの空気取入口部分にシャッタを取付けて室外の空気が給気ボックス内に流入しないようにすれば良い。
【００１１】
しかしながら、給気ダクトにシャッタを取付けるようにすると、給気ボックスが厨房の壁体に接近して取付けられる場合には給気ダクトの壁内の部分にシャッタ、電動モータを取付けることになり、その電動モータへの電気配線が大変面倒となる。
【００１２】
また、給気ボックスの空気取入口部分にシャッタを前述の第２の給排気式レンジフードと同様に取付けると、そのシャッタと電動モータが給気ボックスに一体的に組み込まれるから、そのシャッタと電動モータを外したり、給気ボックスの他の位置に取付けできない。
【００１３】
このために、前述の第１の給排気式レンジフードのように給気ボックスの左側面、右側面、後側面に空気取入口をそれぞれ形成し、給気ダクトをいずれか１つの空気取入口と連続して取付けるようにした場合には、シャッタ、電動モータを給気ダクトの取付けられる空気取入口部分に取付けできない。
【００１４】
そこで、本発明は前述の課題を解決できるようにした給排気式レンジフードを提供することを目的とする。
【００１５】
【課題を解決するための手段】
第１の発明は、フード本体１と、このフード本体１内に設けられた排気用ファンユニット９と、この排気用ファンユニット９の排出側に接続した排気ダクト１７と、前記フード本体１の上面に取付けられ前面板２４に給気口２６を有する給気ボックス２０と、この給気ボックス２０に接続した給気ダクト５６を備え、
前記給気ボックス２０の天板２１、左右の側面板２２、後面板２３には空気取入口２５が、通常時には閉塞され、かつ使用時に開口できるようにそれぞれ形成してあり、そのいずれか１つの空気取入口２５が開口し、
前記給気ボックス２０の内面における開口した空気取入口２５周縁部に、前記給気ダクト５６が接続される接続用ダクト４２を備えた取付部材４０を、その接続用ダクト４２が空気取入口２５よりも外方に突出して着脱自在に取付け、
筒体６１内にシャッタ６２を電動モータ６４で開・閉位置に移動自在に取付けて電動式シャッタ６０とし、
この電動式シャッタ６０を前記取付部材４０に、その筒体６１と接続用ダクト４２が連続して着脱自在に取付けたことを特徴とする給排気式レンジフードである。
第２の発明は、前記取付部材４０に第１受け片４４と第２受け片４５を９０度位置をずらしてそれぞれ設け、
前記電動式シャッタ６０の筒体６１に前記第１・第２受け片４４，４５に接して取付部材４０の接続用ダクト４２と電動式シャッタ６０の筒体６１を位置合せする部分を設けた給排気式レンジフードである。
第３の発明は、前記取付部材４０を、矩形状の基板４１に接続用ダクト４２を設け、この基板４１における対角線方向に対向した一方のコーナー部付近に第１受け片４４と第２受け片４５を９０度位置をずらして設け、他方のコーナー部付近にナット部材４７を設けたものとし、
前記電動式シャッタ６０の筒体６１に矩形状の取付板６６を設け、この取付板６６における第１の対角線方向に相対向した２つのコーナー部近くに透孔６７をそれぞれ形成したものとし、
前記取付板６６の第２の対角線方向に相対向した一方のコーナー部における２辺部を前記第１・第２受け片４４，４５に接して取付部材４０の接続用ダクト４２と電動式シャッタ６０の筒体６１を位置合せし、前記取付板６６の１つの透孔６７よりボルト部材をナット部材４７に螺合して電動式シャッタ６０を取付部材４０に取付けた給排気式レンジフードである。
【００１６】
【作用】
第１の発明によれば、取付部材４０の接続用ダクト４２と給気ダクト５６が連続するし、その接続用ダクト４２と電動式シャッタ６０の筒体６１が連続するので、電動式シャッタ６０のシャッタ６２を電動モータ６４で開作動すれば室外の空気を給気ダクト５６、接続用ダクト４２、筒体６１、給気ボックス２０、給気口２６を通して室内に給気できるし、電動式シャッタ６０のシャッタ６２を電動モータ６４で閉作動すれば給気ダクト５６と給気ボックス２０内で遮断されて室外の空気が室内に流れ込むことを防止できる。
また、取付部材４０を給気ボックス２０の内部から内面に取付けることで接続用ダクト４２を空気取入口２５を通して給気ボックス２０の外面より外方に突出させて給気ダクト５６と接続できるので、給気ボックス２０と厨房の壁体が著しく接近している場合でも給気ダクト５６と給気ボックス２０を連続でき、かつ取付部材４０の接続用ダクト４２と電動式シャッタ６０の筒体６１を確実に連続できる。
また、電動式シャッタ６０は給気ボックス２０の内面に取付けてあるから、そのシャッタ６２を閉作動すれば室外の空気が給気ボックス２０内に入り込むことがなく、冬期においてレンジフード未使用時に室外の冷気によって室内の温度が低下することを確実に防止できる。
また、電動式シャッタ６０は給気ボックス２０の内面に取付部材４０を介して取付けたので、その電動式シャッタ６０の電動モータ６４への配線は給気ボックス２０より簡単に行える。
また、給気ボックス２０の天板２１、左右の側面板２２、後面板２３に形成した空気取入口２５のいずれか１つを開口できると共に、前記取付部材４０は着脱自在であるから、給気ボックス２０の前面以外の他の面に電動式シャッタ６０を取付けでき、給気ボックス２０の上面、左右側面、後面に給気ダクトを接続する場合でも電動式シャッタ６０を取付けできる。
また、前記取付部材４０は着脱自在であるから、給気ボックス２０の前面以外の他の面に電動式シャッタ６０を取付けでき、給気ボックス２０の上面、左右側面、後面に給気ダクトを接続する場合でも電動式シャッタ６０を取付けできる。
また、取付部材４０、電動式シャッタ６０は給気ボックス２０の内部から取付け、外しすることができるので、給排気式レンジフードを据付けた状態で電動式シャッタ６０、筒体６１と接続用ダクト４２との連続する部分等を保守、点検できるし、部品の交換も容易である。
第２の発明によれば、電動式シャッタ６０の筒体６１を取付部材４０の第１・第２受け片４４，４５に接することで電動式シャッタ６０が位置決めされ、取付部材４０の接続用ダクト４２と電動式シャッタ６０の筒体６１が位置合せされるから、電動式シャッタ６０を給気ボックス２０の内面に簡単に取付けできる。
第３の発明によれば、給気ボックス２０の左側面、右側面に取付部材４０を取付ける際に、取付部材４０を９０度回転して取付けることで第１・第２受け片４４，４５が給気ボックス２０の奥側下方となるし、ナット部材４７が給気ボックス２０の手前側上方となるから、電動式シャッタ６０の取付板６６の奥側下部を第１・第２受け片４４，４５に接して位置決めし、前記取付板６６の手前側上部の透孔６７からボルト部材を基板４１のナット部材４７に螺合して電動式シャッタ６０を取付けることができる。したがって同一の取付部材４０を用いて給気ボックス２０の左側面、右側面に電動式シャッタ６０を簡単に取付けできる。
【００１７】
【発明の実施の形態】
（給排気式レンジフードの全体構造）
図１ないし図４に示すように、フード本体１は天板２、左右の側面板３、後面板４、前面板５により下部を開口した箱状としてある。前記一対の側面板３、後面板４の下部寄りに仕切板６が取付けてあり、一対の側面板３の前面寄り上部にフィルター取付部材７が取付けてある。前記仕切板６とフィルター取付部材７とに亘ってフィルタ８が取付けてあり、このフィルタ８でフード本体１内を吸込部１ａと排出部１ｂに区画してある。
【００１８】
前記フード本体１の排出部１ｂ内には排気用ファンユニット９が取付けてある。この排気用ファンユニット９はケーシング１０内にファン１１を設け、電動モータ１２でファン１１を回転するようにしてある。
【００１９】
前記天板２の後面板４寄りの左右中間部には排出口１４が形成してあり、この排出口１４にケーシング１０の吐出口が連続し、天板２における排出口１４の周縁部に排気用ダクト１５が取付けてある。この排気用ダクト１５の出口周縁に排気用電動式シャッタ１６が取付けてあり、その排気用電動式シャッタ１６に排気ダクト１７が接続される。
【００２０】
このようであるから、排気用電動式シャッタ１６によって排気ダクト１５の出口を開き、電動モータ１２でファン１１を回転駆動してレンジフードを運転することで、調理時に発生する煙り、湯気、臭気等を捕集して排気ダクト１７を経て室内に排出することができる。
【００２１】
また、排気用電動式シャッタ１６によって排気用ダクト１５の出口を閉じれば、レンジフード停止時に室外の空気がフード本体１を通って室内に流れ込むことを防止できる。
【００２２】
前記フード本体１の天板２における前面板５寄りには給気ボックス２０が取付けてある。この給気ボックス２０は天板２１と左右の側面板２２と後面板２３と前面板２４により下部を開口した箱状としてあり、フード本体１の天板２が下面板の役目を果たしている。
【００２３】
前記天板２１、左右の側面板２２、後面板２３には空気取入口２５がそれぞれ形成してあり、前面板２４の上部寄りにはスリット状の給気口２６が複数形成してある。
【００２４】
前記空気取入口２５は工場出荷時には閉塞されており、レンジフードの据付工事時に建屋構造、厨房の間取り、配置、配列などによりいずれか１つの空気取入口２５を選択して開口するようにしてある。
例えば、空気取入口２５を打ち抜き、その打ち抜いた部分２７を残した状態で再び加圧して打ち抜いた部分２７を空気取入口２５の周縁に付着させたり、打ち抜いた部分２７を空気取入口２５の周縁複数位置にスポット溶接で固着したり、あるいは空気取入口２５の周縁の複数部分を残して切断したり、板厚の全てを切断せずに若干の厚さ部分を残して切断する。実施例においては打ち抜いた部分２７をスポット溶接２８で固着してある。
【００２５】
また、空気取入口２５は完全に打ち抜き加工して蓋により閉塞し、使用時に蓋を外して開口させるようにしても良い。
【００２６】
なお、図１ないし図４に示す実施例においては各空気取入口２５が閉塞されている状態を示している。
【００２７】
（給気ボックスの具体構造）
図５に示すように、天板２１と左右の側面板２２は１枚の板を下向きコ字状に折り曲げて一体的に形成してある。天板２１の前端縁と後端縁は折り曲げられてフランジ片２１ａとしてあり、そのフランジ片２１ａの左右両側寄りには切欠凹部３０がそれぞれ形成してある。前記側面板２２の前端縁、後端縁は折り曲げられて縦フランジ片２２ａとしてあると共に、下端縁も折り曲げられて下フランジ片２２ｂとしてある。
【００２８】
後面板２３は下端縁を折り曲げて取付片２３ａとしてあり、その取付片２３ａの長手方向両端部を切り欠いてある。図６に示すように後面板２３は、その切欠部分２３ｂを側面板２２の下フランジ片２２ｂに接して後側の縦フランジ片２２ａにスポット溶接などで固着されており、後面板２３の取付片２３ａは側面板２２の下フランジ片２２ｂと同一高さで、側面板２２よりも後方に突出している。
【００２９】
左右の側面板２２間に取付けられる取付棧３１は、横板３２と後側下向片３３と前側上向片３４により断面形状がほぼクランク形の長尺材としてある。前記後側下向片３３の長手方向両端部は切り欠きされ、前側上向片３４の長手方向両側寄りには支持横片３４ａが前方に向けて切り起し形成してある。
【００３０】
前記取付棧３１は、図６に示すように横板３２の長手方向両端部を左右の側面板２２の下フランジ片２２ｂにスポット溶接などで固着して取付けられている。取付棧３１を左右の側面板２２間に亘って取付けた状態では取付棧３１の後側下向片３３は側面板２２よりも下方に突出し、支持横片３４ａは側面板２２よりも前方に突出する。
【００３１】
そして、図６に示すように側面板２２の下フランジ片２２ｂをフード本体１の天板２に接し、後面板２３の取付片２３ａを天板２に固着した受け片３６に係合すると共に、取付棧３１の後側下向片３３をフード本体１の天板２のフランジ片２ａにビス３７で固着される。
【００３２】
このようにしてフード本体１に取付けた後に前面板２４を取付ける。
【００３３】
前面板２４は上縁部と左右縦縁部をＬ字状に折り曲げて上Ｌ字片２４ａ、縦Ｌ字状２４ｂとし、下縁部を下向き鉤形状に折り曲げて下取付片２４ｃとしてある。前記上Ｌ字片２４ａの長手方向両側寄りには天板２１の前記切欠凹部３０に係合する係合片３８が切り起し形成してある。
【００３４】
前面板２４は図６に示すように、その係合片３８を天板２１の切欠凹部３０に係合すると共に、下取付片２４ｃを取付棧３１の支持横片３４ａに載置して仮止めし、下取付片２４ｃよりビス３９を取付棧３１の前側上向片３４に螺合して取付けられる。
【００３５】
このようであるから、前面板２４を簡単に取り付けできるし、簡単に外すこともできる。
【００３６】
前記空気取入口２５は図５に示すように、円形部２５ａに一対の溝状部２５ｂを形成したものである。この一対の溝状部２５ｂは円形部２５ａの中心に対して相対向し、側面板２２、後面板２３の空気取入口２５の一対の溝状部２５ｂを結ぶ直線Ｘは垂直線Ｙに対して所定角度（例えば４５度）だけずれており、側面板２２の空気取入口２５の下の溝状部２５ｂが前面側で、上の溝状部２５ｂが後面側に位置している。
【００３７】
（空気取入口に電動式シャッタを取付ける構造）
図７は左の側面板２２に電動式シャッタを取付け、前面板を外した状態の一部破断正面図、図８は図７のＡ−Ａ断面図である。左の側面板２２の空気取入口２５を開口させ、その側面板２２の内面における空気取入口２５の周縁に取付部材４０を取付ける。この場合には前面板２４を前もって取り外して行なう。
【００３８】
前記取付部材４０は図９ないし図１２に示すように、矩形状（例えば正方形状）の基板４１と、この基板４１の中央部に後方に向けて一体的に設けた筒状の接続用ダクト４２と、基板４１の第１の対角線方向に相対向した２つのコーナー部に後方に向けて一体的に設けたＬ字状に折曲した一対の取付片４３と、基板４１における取付片４３を設けたコーナー部とは異なる一方のコーナー部（基板４１の第２の対角線方向に相対向した一方のコーナー部）を境とした２辺部に前方に向けて一体的に設けた鉤形状の第１受け片４４、第２受け片４５と、基板４１の周縁に後方に向けて一体的に設けたフランジ片４６と、基板４１における取付片４３を設けたコーナー部とは異なる他方のコーナー部（基板４１の第２の対角線方向に相対向した他方のコーナー部）付近に一体的に設けたナット部材４７より成る。
【００３９】
前記接続用ダクト４２、取付片４３、フランジ片４６は一枚の板を折り曲げ等の加工をして一体的に構成され、取付片４３には透孔４８が形成してある。前記第１・第２受け片４４，４５はフランジ片４６の一部分を切り起して形成してあり、ナット部材４７は基板４１の一部分をバーリング加工して基板４１の前後面に開口したねじ孔としてある。
【００４０】
前記側面板２２には一対のネジ部材５０が取付けてある。このネジ部材５０はブラケット５１にネジ杆５２を固着したものであり、そのブラケット５１は一対の支持片５３と一対の押え片５４を有する。具体的にはブラケット５１は長方形状の板をほぼコ字状に折り曲げて一対の支持片５３とし、その折り曲げ部の一部分を切り起して一対の押え片５４としてある。
【００４１】
前記ネジ部材５０は図８に示すように空気取入口２５の溝状部２５ｂに挿入されて支持片５３と押え片５４で側面板２２を挟持するようにして取付けられる。これにより、ネジ部材５０は側面板２２に位置決めして取付けられるし、そのネジ部材５０を簡単に取付け、外しすることができる。
【００４２】
前記ネジ部材５０のネジ杆５２は取付部材４０の取付片４３の透孔４８に挿通し、そのネジ杆５２にナット部材、例えば蝶ナット５５を図７、図８に示すように螺合して取付部材４０を側面板２２の内面に取付けられる。この時、第１受け片４４が上向きコ字状となり、第２受け片４５が横向きコ字状となるようにする。
【００４３】
これにより、図７に示すように取付部材４０の接続用フランジ４２が側面板２２の空気取入口２５より外方に突出して給気ダクト５６内に嵌まり込む。
【００４４】
なお、給気ダクト５６に嵌まり込む接続用ダクト４２の外周に発泡ゴムなどの弾性体のパッキン（図示せず）を装着して給気ダクト５６と接続用フランジ４２の接続部を気密化しても良い。
【００４５】
電動式シャッタ６０は図９と図１３と図１４に示すように円形の筒体６１内に円形のシャッタ６２を軸６３で回転自在に設け、筒体６１に取付けた電動モータ６４で軸６３を回転するようにしてあり、その電動モータ６４はカバー６５で覆われている。
【００４６】
前記筒体６１の一方の開口端には矩形状（例えば正方形状）の取付板６６が一体的に設けてあり、この取付板６６は矩形状で周縁部が折り曲げられてフランジ片６６ａとしてあると共に、４つのコーナー部近くに透孔６７がそれぞれ形成してある。前記筒体６１の他方の開口端寄り外面にはダクトフランジ６８が嵌合して取付けてある。
【００４７】
前記電動式シャッタ６０は取付板６６の１つのコーナー部を境とした２辺部を取付部材４０の第１受け片４４と第２受け片４５に嵌め込んで前後方向、左右方向に位置決めすると共に、仮支持する。
【００４８】
これにより、取付部材４０の接続用ダクト４２と電動式シャッタ６０の筒体６１が合致するし、取付部材４０のナット部材６７と取付板６６の前記１つのコーナー部と対角線上に対向する１つのコーナー部付近の透孔６７が合致し、その透孔６７よりボルト部材、例えば蝶ボルト６９をナット部材６７に螺合して取付ける。
【００４９】
このようであるから、電動式シャッタ６０の取付板６６における給気ボックス２０の後面板寄り（奥側）の下部分を仮支持し、取付板６６における給気ボックス２０の前面板寄り（手前側）の上部分の透孔６７より蝶ボルト６９を基板４１のナット部材６７に螺合することで電動式シャッタ６０を取付けできる。
【００５０】
したがって、フード本体１に給気ボックス２０を取付けた状態で、前面板２４を外すことにより電動式シャッタ６０を側面板２２の内面に簡単に取付けできる。
【００５１】
また、電動式シャッタ６０の筒体６１に一体的に設けた取付板６６が取付部材４０の基板４１に接し、その筒体６１と取付部材４０の接続用ダクト４２が連続するし、その部分の空気洩れがないので、シャッタ６２を開くことで給気ダクト５６、接続用ダクト４２、筒体６１を通して室外の空気が給気ボックス２０内にスムーズに空気洩れなく流入するし、シャッタ６２を閉じることで給気ボックス２０内に室外の空気が入り込むことを確実に防止できる。
【００５２】
なお、前述の電動式シャッタ６０の取付板６６と取付部材４０の基板４１との間に円環状のパッキンを介在して組付ければ空気洩れをより一層確実に防止できる。
【００５３】
また、取付部材４０の基板４１と取付片４３とは離隔しているから、基板４１と電動式シャッタ６０の取付板６６を接触させても取付部材４０を取付けるネジ部材５０、蝶ナット５５と取付板６６が干渉することがない。
【００５４】
また、取付部材４０を給気ボックス２０の内部から側面板２２の内面に取付けることで、その取付部材４０の接続用ダクト４２が空気取入口２５を通して側面板２２より外方に突出して給気ダクト５６内に嵌まり込むので、給気ボックス２０の側面板２２と壁体５７との間隔が著しくせまい場合でも給気ボックス２０と給気ダクト５６を接続できる。
【００５５】
また、ボルト部材５０、取付部材４０は給気ボックス２０の内部から外すことができるので、他方（右側）の側面板２２、天板２１、後面板２３のいずれか１つの空気取入口２５を開口してボルト部材５０、取付部材４０を給気ボックス２０の内部から取付けて電動式シャッタ６０を取付できる。
【００５６】
したがって、給気ボックス２０の上面、左側面、右側面、後面のいずれにも給気ダクト５６を接続できるから、建屋構造、厨房の間取り、配置、配列などに応じた向きに給気ダクト５６を取付けできる。
【００５７】
なお、右の側面板２２に取付部材４０を取付ける場合には、取付部材４０を左の側面板２２に取付ける状態に対して９０度回転して第２受け片４５が上向きコ字状で、第１受け片４４が横向きコ字状になるようにして取付ける。
【００５８】
このようにすれば、電動式シャッタ６０を左の側面板２２に取付ける場合と同様にして取付けできる。
【００５９】
また、取付部材４０、電動式シャッタ６０は給気ボックス２０の内部から取付け、外しできるから、レンジフードを据付けた状態で電動式シャッタ６０、接続用フランジ４２と筒体６１との連続する部分等を保守、点検できるし、部品の交換も容易である。
【００６０】
前記フード本体１の天板２に取付けた排気用ダクト１５は図１５に示すように、取付用横板８０に円弧状の前面縦板８１と一対の側面縦板８２と後面縦板８３を一体的に設け、その取付用横板８０に入口８４、後面縦板８３に出口８５を形成したものである。前記後面縦板８３の出口８５周縁にネジ穴８６を形成してある。
【００６１】
前記排気用電動式シャッタ１６は図１５に示すように前述の給気ボックス２０内に取付ける電動式シャッタ６０と同一となり、その取付板６６の透孔６７と排出用ダクト１５の後面縦板８３に形成したネジ穴８６が合致するようにしてある。
【００６２】
このようであるから、排気用ダクト１５に取付ける電動式シャッタと給気ボックス２０内に取付ける電動式シャッタが共通となり、製作上有利となる。なお、排気ダクト１７は、その端部が電動式シャッタの筒体６１に設けたダクトフランジ６８に嵌め込まれるように取付けられる。
【００６３】
【発明の効果】
第１の発明によれば、取付部材４０の接続用ダクト４２と給気ダクト５６が連続するし、その接続用ダクト４２と電動式シャッタ６０の筒体６１が連続するので、電動式シャッタ６０のシャッタ６２を電動モータ６４で開作動すれば室外の空気を給気ダクト５６、接続用ダクト４２、筒体６１、給気ボックス２０、給気口２６を通して室内に給気できるし、電動式シャッタ６０のシャッタ６２を電動モータ６４で閉作動すれば給気ダクト５６と給気ボックス２０内で遮断されて室外の空気が室内に流れ込むことを防止できる。
また、取付部材４０を給気ボックス２０の内部から内面に取付けることで接続用ダクト４２を空気取入口２５を通して給気ボックス２０の外面より外方に突出させて給気ダクト５６と接続できるので、給気ボックス２０と厨房の壁体が著しく接近している場合でも給気ダクト５６と給気ボックス２０を連続でき、かつ取付部材４０の接続用ダクト４２と電動式シャッタ６０の筒体６１を確実に連続できる。
【００６４】
また、電動式シャッタ６０は給気ボックス２０の内面に取付けてあるから、そのシャッタ６２を閉作動すれば室外の空気が給気ボックス２０内に入り込むことがなく、冬期においてレンジフード未使用時に室外の冷気によって室内の温度が低下することを確実に防止できる。
【００６５】
また、電動式シャッタ６０は給気ボックス２０の内面に取付部材４０を介して取付けたので、その電動式シャッタ６０の電動モータ６４への配線は給気ボックス２０より簡単に行える。
【００６６】
また、給気ボックス２０の天板２１、左右の側面板２２、後面板２３に形成した空気取入口２５のいずれか１つを開口できると共に、前記取付部材４０は着脱自在であるから、給気ボックス２０の前面以外の他の面に電動式シャッタ６０を取付けでき、給気ボックス２０の上面、左右側面、後面に給気ダクトを接続する場合でも電動式シャッタ６０を取付けできる。
【００６７】
また、取付部材４０、電動式シャッタ６０は給気ボックス２０の内部から取付け、外しできるので、レンジフードを据付けた状態で電動式シャッタ６０、接続用ダクト４２と筒体６１との連続する部分等を保守、点検できるし、部品の交換も容易である。
【００６８】
第２の発明によれば、電動式シャッタ６０の筒体６１を取付部材４０の第１・第２受け片４４，４５に接することで電動式シャッタ６０が位置決めされ、取付部材４０の接続用ダクト４２と電動シャッタ６０の筒体６１が位置合せされるから、電動式シャッタ６０を給気ボックス２０の内面に簡単に取付けできる。
【００６９】
第３の発明によれば、給気ボックス２０の左側面、右側面に取付部材４０を取付ける際に、取付部材４０を９０度回転して取付けることで第１・第２受け片４４，４５が給気ボックス２０の奥側下方となるし、ナット部材４７が給気ボックス２０の手前側上方となるから、電動式シャッタ６０の取付板６６の奥側下部を第１・第２受け片４４，４５に接して位置決めし、前記取付板６６の手前側上部の透孔６７からボルト部材を基板４のナット部材４７に螺合して電動式シャッタ６０を取付けることができる。したがって同一の取付部材４０を用いて給気ボックス２０の左側面、右側面に電動式シャッタ６０を簡単に取付けできる。
【図面の簡単な説明】
【図１】本発明の実施例を示す給排気式レンジフードの側面図である。
【図２】本発明の実施例を示す給排気式レンジフードの正面図である。
【図３】本発明の実施例を示す給排気式レンジフードの平面図である。
【図４】本発明の実施例を示す給排気式レンジフードの背面図である。
【図５】給気ボックスの分解斜視図である。
【図６】給気ボックスの縦断面図である。
【図７】給気ボックスの取付状態を示す一部破断正面図である。
【図８】図７のＡ−Ａ断面図である。
【図９】取付部材とボルト部材と電動式シャッタの分解斜視図である。
【図１０】取付部材の正面図である。
【図１１】取付部材の側面図である。
【図１２】取付部材の底面図である。
【図１３】電動式シャッタの一部破断正面図である。
【図１４】電動式シャッタの一部破断平面図である。
【図１５】排気用ダクトと排気用電動式シャッタの一部の斜視図である。
【符号の説明】
１…フード本体、２…天板、９…排気用ファンユニット、１５…排気用ダクト、１６…排気用電動式シャッタ、２０…給気ボックス、２５…空気取入口、２６…給気口、３１…取付棧、４０…取付部材、４１…基板、４２…接続用ダクト、４３…取付片、４４…第１受け片、４５…第２受け片、４７…ナット部材、５０…ネジ部材、５１…ブラケット、５２…ネジ杆、５５…蝶ナット、６０…電動式シャッタ、６１…筒体、６２…シャッタ、６４…電動モータ、６６…取付板、６７…透孔、６９…蝶ボルト、８６…ボルト孔。
【図１】
0003692463.tif 000002
【図２】
0003692463.tif 000003
【図３】
0003692463.tif 000004
【図４】
0003692463.tif 000005
【図５】
0003692463.tif 000006
【図６】
0003692463.tif 000007
【図７】
0003692463.tif 000008
【図８】
0003692463.tif 000009
【図９】
0003692463.tif 000010
【図１０】
0003692463.tif 000011
【図１１】
0003692463.tif 000012
【図１２】
0003692463.tif 000013
【図１３】
0003692463.tif 000014
【図１４】
0003692463.tif 000015
【図１５】
0003692463.tif 000016